(57)【要約】【課題】薄型電子機器の梱包構造において、梱包作業を効率よく行えるようにする。【解決手段】薄型電子機器の下部を覆う底ケース２と、底ケース２の外周に装着され、薄型電子機器全体を覆う上ケースと、底ケース２の中央部に挿入され、薄型電子機器の下部を支持する発泡材から成る第２緩衝材５等によって梱包構造を構成する。第２緩衝材５に設けた係合孔５ｃに底ケース２の側壁２１の係合爪２１ｃを嵌合させることにより、側壁２１を内方に引き込み、上ケースを装着する際、底ケース２の側壁２１と上ケースの干渉を防止し、梱包作業を効率化する。【選択図】図３
2007308190.tif 000002
【特許請求の範囲】
【請求項１】
略長方形状の底壁及びこの底壁の周囲から起立された側壁とを有する、薄型電子機器の下部を覆う底ケースと、この底ケースの外周に装着され、薄型電子機器全体を覆う上ケースと、前記底ケースの内方の両端部に挿入され、薄型電子機器の両端下部を支持する発泡材から成る一対の第１緩衝材と、前記底ケースの内方であって、前記一対の第１緩衝材の間に挿入され、薄型電子機器の下部を支持する発泡材から成る第２緩衝材とを備えた薄型電子機器用梱包構造において、
前記底ケースの平行な一対の長手方向側壁の上端部には、前記第２緩衝材と係合する係合爪が形成され、
前記第２緩衝材は、前記底ケースに挿入された状態で該底ケースの長手方向側壁に沿う両端部に、該底ケースの係合爪が嵌合し得る係合孔を有することを特徴とする薄型電子機器用梱包構造。
【請求項２】
前記第２緩衝材の前後寸法は、前記上ケース内面の前後寸法以下であることを特徴とする請求項１に記載の薄型電子機器用梱包構造。
【請求項３】
前記第２緩衝材の係合孔は、裏面視で略Ｖ字状の断面となるように、その両端部に対して中央部が前記底ケースの内方に位置されていることを特徴とする請求項１又は請求項２に記載の薄型電子機器用梱包構造。
【請求項４】
前記第２緩衝材の係合孔は、開口部分の断面積が底部分の断面積より大きく形成されていることを特徴とする請求項１乃至請求項３のいずれかに記載の薄型電子機器用梱包構造。
【請求項５】
前記底ケースの係合爪及びその近傍には、前記第２緩衝材の係合孔に対応する罫線が形成されていることを特徴とする請求項１乃至請求項４のいずれかに記載の薄型電子機器用梱包構造。
【請求項６】
薄型電子機器の下部を覆う底梱包用ケースに装着される薄型電子機器梱包用の緩衝材において、
薄型電子機器の下部が嵌合される嵌合部と、前記底梱包用ケースの互いに対向する側壁の上端が係合される一対の係合孔とを有することを特徴とする薄型電子機器梱包用の緩衝材。
【発明の詳細な説明】
【技術分野】
【０００１】
本発明は、液晶ディスプレイ装置等の薄型電子機器を梱包する薄型電子機器用梱包構造及びそれに用いられる緩衝材に関するものである。
【背景技術】
【０００２】
従来から、液晶ディスプレイ装置の梱包には、段ボールから成る梱包ケースと、発泡樹脂から成る緩衝材が用いられている。一般的に、緩衝材は、梱包ケースの隅部に挿入され、液晶ディスプレイ装置の端部を支持するが、近年、画面の大型化が進展する液晶ディスプレイ装置の梱包においては、梱包ケースの強度を確保すると共に、液晶ディスプレイ装置を衝撃等から効果的に保護するために、梱包ケースの上下端の中央部にも緩衝材を追加挿入する梱包構造が用いられている。
【０００３】
図８は、このような従来の液晶ディスプレイ装置用の梱包構造を示している。梱包構造１００は、液晶ディスプレイ装置Ｄの下部を覆う底ケース１０２と、底ケース１０２の外周に装着され、液晶ディスプレイ装置Ｄ全体を覆う上ケース１０３と、底ケース１０２に挿入される第１緩衝材１０４及び第２緩衝材１０５と、上ケース１０３に挿入される第３緩衝材１０６等によって構成されている。第１緩衝材１０４は、液晶ディスプレイ装置Ｄの両端下部を支持し、第２緩衝材１０５は、中央下部を支持する。
【０００４】
また、特許文献１乃至特許文献３には、段ボールの底板の一部を切り起こして、緩衝材に設けられている溝等の凹部に係合させる梱包構造が示されている。この構造によれば、緩衝材が段ボールの切り起こし部によって固定されるので、搬送中等に移動する虞はないと考えられる。
【特許文献１】特開６−５６１７３号公報
【特許文献２】特開５−１４７６７５号公報
【特許文献３】特開２０００−２５８３４号公報
【０００５】
ところが、図８に示した梱包構造においては、底ケース１０２の前側壁１２１ａが前方に、後側壁１２１ｂが後方に広がりやすくなる。このように、底ケース１０２の側壁１２１ａ、１２１ｂが外方に開く傾向は、底ケース１０２の幅寸法、すなわち液晶ディスプレイ装置Ｄの画面の大型化に伴い顕著に現れる。従って、特に大画面の液晶ディスプレイ装置Ｄの梱包にあたって、上ケース１０３を装着する際には、作業者等が側壁１２１ａ、１２１ｂを内方に矯正する必要があり、梱包作業の効率が悪化する要因とされていた。また、梱包後、第２緩衝材１０５が底ケース１０２の長手方向に移動するのを防止するために、第２緩衝材１０５を粘着テープ等で底ケース１０２又は液晶ディスプレイ装置Ｄを覆う保護袋等に固定する必要があり、これも梱包作業の効率を悪化させる一因となっている。
【０００６】
一方、上記特許文献１乃至特許文献３に示された底板を底ケース１０２に応用し、すなわち底ケース１０２の底面の一部を切り起こして、第２緩衝材１０５に係合させる構成を採ることにより、第２緩衝材１０５の移動を防止することは可能である。しかしながら、このような構成にあっても、底ケースの側壁１２１ａ、１２１ｂが外方に開くことを防止できないので、梱包作業の効率化を図ることができない。
【発明の開示】
【発明が解決しようとする課題】
【０００７】
本発明は、上記課題を解決するためになされたものであり、液晶ディスプレイ装置等の薄型電子機器の梱包作業を効率よく行える梱包構造を安価に提供することを目的とする。
【課題を解決するための手段】
【０００８】
上記目的を達成するために請求項１の発明は、略長方形状の底壁及びこの底壁の周囲から起立された側壁とを有する、薄型電子機器の下部を覆う底ケースと、この底ケースの外周に装着され、薄型電子機器全体を覆う上ケースと、底ケースの内方の両端部に挿入され、薄型電子機器の両端下部を支持する発泡材から成る一対の第１緩衝材と、底ケースの内方であって、一対の第１緩衝材の間に挿入され、薄型電子機器の下部を支持する発泡材から成る第２緩衝材とを備えた薄型電子機器用梱包構造において、底ケースの平行な一対の長手方向側壁の上端部には、第２緩衝材と係合する係合爪が形成され、第２緩衝材は、底ケースに挿入された状態で該底ケースの長手方向側壁に沿う両端部に、該底ケースの係合爪が嵌合し得る係合孔を有するものである。
【０００９】
請求項２の発明は、請求項１に記載の薄型電子機器用梱包構造において、第２緩衝材の前後寸法は、上ケース内面の前後寸法以下であるものである。
【００１０】
請求項３の発明は、請求項１又は請求項２に記載の薄型電子機器用梱包構造において、第２緩衝材の係合孔は、裏面視で略Ｖ字状の断面となるように、その両端部に対して中央部が底ケースの内方に位置されていることを特徴とするものである。
【００１１】
請求項４の発明は、請求項１乃至請求項３のいずれかに記載の薄型電子機器用梱包構造において、第２緩衝材の係合孔は、開口部分の断面積が底部分の断面積より大きく形成されているものである。
【００１２】
請求項５の発明は、請求項１乃至請求項４のいずれかに記載の薄型電子機器用梱包構造において、底ケースの係合爪及びその近傍には、第２緩衝材の係合孔に対応する罫線が形成されているものである。
【００１３】
請求項６の発明は、薄型電子機器の下部を覆う底梱包用ケースに装着される薄型電子機器梱包用の緩衝材において、薄型電子機器の下部が嵌合される嵌合部と、底梱包用ケースの互いに対向する側壁の上端が係合される一対の係合孔とを有するものである。
【発明の効果】
【００１４】
請求項１の発明によれば、第２緩衝材が、底ケースに挿入された状態で、底ケースの長手方向側壁の上端部に形成されている係合爪と、第２緩衝材の係合孔とが嵌合することにより、底ケースの側壁が外方に開くことが防止される。これにより、上ケースを底ケースに装着する際に、上ケースの長手方向側壁と、底ケースの長手方向側壁との干渉を防止でき、コストアップを伴うことなく梱包作業を円滑に行えるようになる。また、底ケースの係合爪と、第２緩衝材の係合孔との嵌合により、第２緩衝材が固定されるので、粘着テープ等を用いて該第２緩衝材を固定する工程を省くことができ、作業の効率化を図ることができる。
【００１５】
請求項２の発明によれば、第２緩衝材の前後寸法が、上ケース内面の前後寸法以下であるので、底ケースの長手方向側壁が、第２緩衝材によって矯正され、上ケース内面より外方に開くことが確実に防止される。これにより、上ケースを底ケースに装着する作業をより一層円滑に行えるようになる。
【００１６】
請求項３の発明によれば、第２緩衝材の係合孔が裏面視で略Ｖ字状の断面となるように形成されているので、第２緩衝材による底ケースの長手方向側壁の矯正効果をさらに高めることができる。
【００１７】
請求項４の発明によれば、第２緩衝材の係合孔が、開口部分の断面積が底部分の断面積より大きく形成されているので、第２緩衝材を底ケースに挿入する際、係合孔と係合爪との嵌合を円滑に行えるようになり、梱包作業の更なる効率化を図ることができる。
【００１８】
請求項５の発明によれば、底ケースの係合爪及びその近傍には、第２緩衝材の係合孔に対応する罫線が形成されているので、第２緩衝材を底ケースに挿入する際、罫線の近傍を軽く押圧することにより、係合爪の形状を係合孔に合わせて成型できる。これにより、底ケースの長手方向側壁を容易に内方に矯正できるようになり、第２緩衝材の挿入を容易に行えるようになる。
【００１９】
請求項６の発明によれば、底梱包用ケースの互いに対向する側壁の上端を緩衝材の嵌合部に嵌合させることにより、底梱包用ケースの側壁を矯正することができる。これにより、側壁が外方に開くことが防止され、梱包作業を効率的に行えるようになる。
【発明を実施するための最良の形態】
【００２０】
本発明を実施するための最良の実施形態による薄型電子機器用梱包構造について図面を参照して説明する。図１は液晶ディスプレイ装置等の薄型電子機器の梱包に用いられる梱包構造を示している。梱包構造１は、液晶ディスプレイ装置Ｄの底部を含む下部を覆う底ケース２と、液晶ディスプレイ装置Ｄ全体を覆う上ケース３と、液晶ディスプレイ装置Ｄ及びその付属品Ｅを振動や衝撃から保護するために、底ケース２及び上ケース３と液晶ディスプレイ装置Ｄとの間に介挿される第１緩衝材４、第２緩衝材５、第３緩衝材６等によって構成される。底ケース２及び上ケース３は段ボール等から成り、上ケース３が底ケース２の外周に装着されて梱包ケース本体が形成される。また、第１緩衝材４、第２緩衝材５、第３緩衝材６は、軽量でかつ衝撃吸収性に優れた発泡スチロール等の発泡材によって形成されている。液晶ディスプレイ装置Ｄは、梱包ケース本体内で第１緩衝材４によって両端下部が、第２緩衝材５によって中央下部がそれぞれ支持された状態で搬送される。
【００２１】
底ケース２は、第１緩衝材４、第２緩衝材５を介して液晶ディスプレイ装置Ｄの荷重を支える。上ケース３は、底ケース２の上方より装着し得るように、底面が開放されており、液晶ディスプレイ装置Ｄの上方より第３緩衝材６及び付属品Ｅを挿入し得るように、天面のフラップ３ａが開放された状態で底ケース２に装着される。また、底ケース２の長手方向の側壁２１及び上ケース３の長手方向の側壁３１には、互いに対応する位置に、底ケース２と上ケース３とを結合するジョイント部材を嵌挿するためのジョイント嵌挿穴２１ａ及び３１ａが形成されている。
【００２２】
図２は、底ケース２及びこれに挿入される第１緩衝材４、第２緩衝材５を示している。また、図３は、第１緩衝材４、第２緩衝材５が挿入された状態の底ケース２を示している。さらに、図４は、底ケース２の構造を示している。底ケース２は、略長方形状の底壁２０と、底壁２０の周囲から起立された一対の長手方向の側壁２１及び一対の短手方向の側壁２２を有している。底ケース２の両端部には、側壁２２に沿って、一対の第１緩衝材４が、中央部には、第２緩衝材５がそれぞれ挿入される。側壁２１には、上述したジョイント嵌挿穴２１ａの他、第１緩衝材４の側面に形成されている突起４ｂが嵌合し得る嵌合穴２１ｂが形成されている。
【００２３】
また、側壁２１の上端の中央部分には、第２緩衝材５の係合孔５ｃ（図５乃至図７参照）に嵌合される係合爪２１ｃが、その周囲が切り落とされることにより形成されている。側壁２１の外面には、係合爪２１ｃの先端部の中央から側壁の下端に亘って、罫線２１ｄが形成されており、底ケース２の組み立ての際及び第２緩衝材５の挿入の際には、図４（ｂ）に示すように、罫線２１ｄの近傍を内方（矢印Ｘ方向）に軽く押圧することにより、側壁２１を罫線２１ｄに沿って内方に容易に屈曲させることができる。
【００２４】
図５及び図６は、第２緩衝材５の構造を示している。第２緩衝材５は、液晶ディスプレイ装置Ｄの下部が嵌合される嵌合部５ａと、第２緩衝材５の外方に突出して形成された突出部５ｂと、突出部５ｂの下端より上方に形成された係合孔５ｃと、係合孔５ｃの下方より係合孔５ｃに連通するように形成された凹部５ｄ等によって構成されている。底ケース２に第２緩衝材５が挿入された状態で上ケース３を容易に装着できるように、第２緩衝材５の前後寸法Ｌ１は、上ケース３の内面の前後寸法Ｌ２（図１参照）以下に設定されている。また、係合孔５ｃは、係合爪２１ｃが嵌合し得るように形成されている。係合孔５ｃと係合爪２１ｃとの位置を合わせた後、底ケース２に対して第２緩衝材５を押圧することにより、第２緩衝材５が底ケース２に挿入される。底ケース２に第２緩衝材５が挿入された状態で上ケース３が装着されると、突出部５ｂが上ケース３の側面３１の内面と当接されることになる。
【００２５】
係合孔５ｃの開口部には、図６に示すように、係合爪２１ｃを嵌合させる際に係合爪２１ｃの先端が円滑に挿入し得るよう、Ｃ面５ｅが形成されている。係合孔５ｃは、裏面視で緩やかなＶ字形状の断面を有している。係合孔５ｃに連通する凹部５ｄの底面は、図５に示すように、係合孔５ｃと同様に緩やかなＶ字形状の断面を有している。これにより、係合孔５ｃに係合爪２１ｃの先端部を嵌合させる際に、容易に両者の位置合わせを行えるようになる。
【００２６】
また、上述したように、側壁２１の外面には、係合爪２１ｃの先端部の中央から側壁２１の下端に亘って、罫線２１ｄが形成されているので、罫線２１ｄの近傍を内方に軽く押圧しつつ罫線２１ｄを係合孔５ｃのＶ字形状の稜線に当接させながら、係合爪２１ｃを係合孔５ｃに挿入させるだけで、側壁２１は、内方に屈曲される。また、凹部５ｄの両端縁部には、Ｃ面５ｆが形成されている。Ｃ面５ｆは、係合孔５ｃに対する係合爪２１ｃの先端部の位置合わせを容易なものとし、かつ側壁２１の内方への屈曲を容易なものとするために設けられている。
【００２７】
以下、第２緩衝材５を底ケース２に対して装着する作業手順について、図７を参照して説明する。作業者等は、まず係合孔５ｃのＶ字形状の稜線が側壁２１の罫線２１ｄと概略一致するように、第２緩衝材５を底ケース２の上方に位置させる。このとき、図７（ａ）に示すように、係合孔５ｃは、係合爪２１ｃよりも内方にある。その後、作業者等は、側壁２１の罫線２１ｄ近傍を内方（矢印Ｘ方向）に押圧しながら、第２緩衝材５を下方（矢印Ｙ方向）に押し下げることにより、側壁２１は、内方に適度に屈曲され、図７（ｂ）に示すように、係合爪２１ｃが係合孔５ｃに嵌合される。このとき側壁２１の中央部は、図１及び図３に示すように、第２緩衝材５によって内方に矯正され、上ケース３の装着にあたって、側壁２１と側壁３１との干渉を防止することができる。底ケース２に第１緩衝材４及び第２緩衝材５が挿入された状態で、図１に示すように、第１緩衝材４及び第２緩衝材５の上部に液晶ディスプレイ装置Ｄが載置されると、液晶ディスプレイ装置Ｄの重量によって、係合爪２１ｃと係合孔５ｃとの嵌合状態が維持される。
【００２８】
以上のように、本実施形態の梱包構造１によれば、第２緩衝材５が、底ケース２に挿入された状態で、底ケース２の側壁２１の上端部に形成されている係合爪２１ｃと、第２緩衝材５の係合孔５ｃとが嵌合することにより、底ケース２の側壁２１が外方に開くことが防止される。これにより、上ケース３を底ケース２に装着する際に、上ケース３の側壁３１と、底ケース２の側壁２１との干渉を防止でき、コストアップを伴うことなく梱包作業を円滑に行えるようになる。また、底ケース２の係合爪２１ｃと、第２緩衝材５の係合孔５ｃとの嵌合により、第２緩衝材５が固定されるので、粘着テープ等を用いて第２緩衝材５を固定する工程を省くことができ、作業の効率化を図ることができる。
【００２９】
また、第２緩衝材５の前後寸法Ｌ１が、上ケース内面の前後寸法Ｌ２以下であるので、底ケース２の側壁２１が、第２緩衝材５によって矯正され、上ケース３の側壁３１の内面より外方に開くことがない。これにより、上ケース３を底ケース２に装着する作業をより一層円滑に行えるようになる。また、第２緩衝材５の係合孔５ｃが裏面視でＶ字状の断面に形成されているので、第２緩衝材５による底ケース２の側壁２１の矯正効果を高めることができる。また、第２緩衝材５の係合孔５ｃの開口部にＣ面が形成されているので、第２緩衝材５を底ケース２に挿入する際、係合孔５ｃと係合爪２１ｃとの嵌合を円滑に行えるようになり、梱包作業の更なる効率化を図ることができる。さらにまた、底ケース２の係合爪２１ｃ及びその近傍には、第２緩衝材５の係合孔５ｃに対応する罫線２１ｄが形成されているので、第２緩衝材５を底ケース２に挿入する際、罫線２１ｄの近傍を軽く押圧することにより、係合爪２１ｃの形状を係合孔５ｃに合わせてＶ字状に成型できる。これにより、底ケース２の側壁２１を容易に内方に矯正できるようになり、第２緩衝材５の挿入を容易に行えるようになる。
【００３０】
なお、本発明は、上記実施形態の構成に限られることなく、種々の変形が可能である。例えば、梱包構造１は、液晶ディスプレイ装置Ｄの梱包に限られることなく、薄型電子機器の梱包に広く適用することができる。また、第２緩衝材５の係合孔５ｃは、裏面視でＶ字形状の断面を有するものに限られることなく、その両端部に対して中央部が底ケースの内方に位置されるような断面形状（例えば、円弧状の断面）であってもよい。請求項３に記載した略Ｖ字状の断面とは、このような形状をも含むものとする。また、第２緩衝材５の係合孔５ｃは、その開口部分がＣ面状に形成されたものに限られるこくなく、開口部分の断面積が底部分の断面積より大きく形成されているような形状（例えば、開口部分がＲ面状に形成された形状）であってもよい。
【図面の簡単な説明】
【００３１】
【図１】本発明の一実施形態による梱包構造の構成を示す斜視図。
【図２】同梱包構造を構成する底ケース、第１緩衝材及び第２緩衝材を裏面側から視た組み立て斜視図。
【図３】（ａ）は同第１緩衝材及び第２緩衝材が挿入された状態の底ケースの平面図、（ｂ）は同正面図、（ｃ）は（ａ）及び（ｂ）におけるＡ−Ａ線断面図。
【図４】（ａ）は底ケースの組み立て斜視図、（ｂ）はその側壁に形成されている係合爪及びその近傍を拡大して示した図。
【図５】（ａ）及び（ｂ）は第２緩衝材を裏面側から視た斜視図。
【図６】（ａ）は同第２緩衝材の側面図、（ｂ）は同正面図、（ｃ）は同裏面図、（ｄ）は（ｂ）及び（ｃ）におけるＢ−Ｂ線断面図。
【図７】（ａ）は同第２緩衝材を底ケースに挿入する要領を示す断面図、（ｂ）は同第２緩衝材が底ケースに挿入された状態を示す断面図。
【図８】従来の梱包構造の構成を示す斜視図。
【符号の説明】
【００３２】
１    梱包構造
２    底ケース
３    上ケース
４    第１緩衝材
５    第２緩衝材
５ｃ    係合孔
２１    側壁
２１ｃ    係合爪
２１ｄ    罫線
Ｄ    液晶ディスプレイ装置
【図１】
2007308190.tif 000003
【図２】
2007308190.tif 000004
【図３】
2007308190.tif 000005
【図４】
2007308190.tif 000006
【図５】
2007308190.tif 000007
【図６】
2007308190.tif 000008
【図７】
2007308190.tif 000009
【図８】
2007308190.tif 000010